(57)【特許請求の範囲】
【請求項１】
バスケットボール競技におけるチームファウルを表示する複数個の表示体を収容する凹部を有するケースにおいて、上記凹部の両側に、個人ファウル表示板を支持するための溝を複数本形成したことを特徴とするバスケットボール競技のファウル表示体ケース。
【請求項２】
上記チームファウルを表示する表示体は側面にチームファウル数に対応した数字を付した複数個の円板体を積み重ねて円柱体形状とされるものであり、かつ上記個人ファウル表示板は、数字を付した平板及び把手よりなり、上記溝は、少なくとも個人ファウル数に対応して複数本形成されてなり、上記平板が上記溝に差し込まれて支持されることを特徴とする請求項１記載のバスケットボール競技のファウル表示体ケース。
【請求項３】
上記個人ファウル表示板は、上記把手の上方及び下端面に上記平板に付した数字と同一数字が付されてなることを特徴とする請求項２記載のバスケットボール競技のファウル表示体ケース。
【発明の詳細な説明】
【０００１】
【発明の属する技術分野】
本発明は、バスケットボール競技のファウル表示体ケースに関する。
【０００２】
【従来の技術】
従来、バスケットボール競技においては、１チームが各ハーフに７回のプレーヤファウルをした後は、そのチームがボールを保持していないときに起こったすべての個人ファウルに対して、ペナルティが課せられ、ワンエンドワンのフリースローが相手方チームに与えられるというチームファウルルールがある。また各プレイヤーについては、５回ファウルをすると退場しなければならないという個人ファウルルールがある。
【０００３】
チームファウル表示体６は、図４〜６に示すように、やや大径の円板型基台１に８個の円板体よりなる表示体２，２，……が積層されてなる。各表示体２，２，……には、１ないし８の数字が付されており、下から１，２，３，……を付した表示体２，２，……がファウル毎に積み重ねられていく。各表示体２，２，……の下面には、正方形の凹部３，３，……が、また上面には正方形の凸部４，４，……が形成されており、凸部４，４，……が凹部３，３，……に嵌合することにより、上下の表示体２，２，……は位置合わせされ、固定される。
【０００４】
チームファウルが７個となったとき、赤色に着色された円筒体形状の表示体５が、積み重ねられた表示体２，２，……に被せられる。８回目のファウルがなされたときは、数字８を付した表示体２が載せられ、相手チームにフリースローが与えられるのである。なお７個のチームファウルがおかされたとき、上記のように表示体５を、積み重ねた表示体２に被せる代わりに、７個積み重ねた表示体２，２，……にて構成される円柱体の傍に、表示体５を並べて立てることにより、７個のファウル表示をなす方法もある。上記構成のチームファウル表示体６に類似の構造は、実公平３−５７２５９号公報に開示されている。
【０００５】
他方、個人ファウルは、通常、数字を付した４角形の平板に把手を取付け、手旗形状とした表示板にて、表示される。個人ファウル表示板は、１ないし５までの数字を付した５個の表示板が用意され、プレイヤーがファウルするごとに、スコアラーがその表示板を掲げてプレイヤーの合計ファウル数を表示するのである。
【０００６】
【発明が解決しようとする課題】
個人ファウルの表示は、プレイヤーがファウルをおかしたとき、即座になされなければならないが、従来、個人ファウル表示板は、これを整頓した状態で収容しておくケース等はなく、テーブル上に無造作に置かれたときは、スコアラーがこれを選択して頭上に掲げる動作に手間取る場合があった。
【０００７】
本発明は、かかる事情に鑑みてなされたもので、チームファウル表示体のケースを個人ファウル表示板を支持できる構造とし、新たなケース等を用意することなく、個人ファウル表示板を上記ケースの一定の場所に配置しておき、使用に際しては即座に取り出すことができるバスケットボール競技のファウル表示体ケースを提供するものである。
【０００８】
【課題を解決するための手段】
本発明（請求項１）は、バスケットボール競技におけるチームファウルを表示する複数個の表示体を収容する凹部を有するケースにおいて、上記凹部の両側に、個人ファウル表示板を支持するための溝を複数本形成したものである。かかる構成において、個人ファウル表示板は、非使用時、数字の順に溝に差し込まれて、横向きに立てた状態で支持される。使用に際しては、配列された表示板の中から、スコアラーにより必要な数字を付した表示板が抜き取られ、頭上に掲げられる。使用後は、元の溝に差し込まれ、立てかけた状態とされる。
【０００９】
本発明（請求項２）にあっては、上記チームファウルを表示する表示体は、側面にチームファウル数に対応した数字を付した複数個の円板体を積み重ねて、円柱体形状とされるものであり、かつ上記個人ファウル表示板は、数字を付した平板及び把手よりなり、上記溝は、少なくとも個人ファウル数に対応して複数本形成されてなり、上記平板が上記溝に差し込まれて支持されるものである。かかる構成において、円板体の積み上げにより、チームファウルが表示され、個人ファウル表示板は、それぞれ溝に差し込まれ、使用時スコアラーにより引き抜かれ、表示される。
【００１０】
本発明（請求項３）にあっては、上記個人ファウル表示板は、上記把手の上方及び下端面に上記平板に付した数字と同一数字が付されてなるものである。かかる構成において、スコアラーは、主として個人ファウル表示板の把手の表示した数字を確認して、ファウル数に対応した表示板を溝から抜き取り、表示する。
【００１１】
【発明の実施の形態】
図１〜３において、６は、前述のチームファウル表示体、７は、このチームファウル表示体６を収容するケースで、非使用時、チームファウル表示体６は、横向きに倒して、半円柱形状の凹部８に収容される。凹部８は、ファウル表示体６の基台１を半分収容する大径部９と、数字を付した８個の円板体形状の表示体２，２，……及びこれに被せられる円筒体形状の表示体５を半分収容する小径部１０よりなる。個々のチームファウル表示体２及び表示体５の使用方法は前述した通りである。
【００１２】
１，１，１，１，……は、ケース７の凹部８を挟む両側に形成された溝で、５本等間隔に設けられている。図２に示すように、チームファウル表示体６を取り出した空のケース７の溝１１，１１，……に、個人ファウルを表示する表示板１２，１２，……が横向きに立てかけられ、支持される。バスケットボール競技では、ルール上、個人ファウルは、５個を超えると退場となるから、１〜５までの数字を付した５個の表示板１２，１２，……が用意され、５本の溝１１，１１，……に順番に立てかけられている。図では、ファウル１回目及び２回目を表す２個の表示板１２，１２を立てかけた状態を示す。
【００１３】
各表示板１２，１２，……は、手旗形状、すなわち数字を表示した４角形の平板１３，１３，……とその一辺に固定した把手１４，１４，……よりなり、把手１４の上方であって平板１３が取りつけられた部分と反対側の部分Ａ及び下端面Ｂに表示板１３に付した数宇と同一の数字が付されている。平板１３，１３，……部分が溝１１，１１，……に差し込まれる。なお溝１１，１１，……の数を５本より多く形成し、予備の表示板等を立てかけておくことができる。図３に示すように、ケース７は、ＡＢＳ樹脂等の射出成形にて、薄くかつ軽量に形成される。
【００１４】
バスケットボール競技におけるファウル表示に際しては、オフィシャルテーブル上においてチームファウル表示が数字を付した表示体２，２，……の積み重ねによりなされる。個人ファウルの表示に際しては、スコアラーが表示板１２の把手１４を手に持って頭上に掲げることによりなされる。このときケース７は、テーブル上又はスコアラーの右側若しくは左側の床面に置かれ、溝１１，１１，…に個人ファウル表示板１２，１２，……が差し込まれている。通常テーブル上にできるだけ不要な物は置かないよう配慮され、このケース７及び個人ファウル表示板１２，１２，……は、床面に置かれることが多いが、ケース７の溝１１，１１，……に表示板１２，１２，……を順番に立てかけて置くことにより、プレイヤーのファウル後、即座に所定の数字を付した表示板１２を手にとって、頭上へ掲げ、ファウル表示を行うことができるのである。このとき、ファウル数に対応した表示板１２の確認は、把手１４の上辺Ａに付した数字によってなされる。
【００１５】
図２では、個人ファウル表示板１２，１２，……を横向きにかけた状態を示したが、縦方向すなわち平板１３の上辺を溝１１に差し込み、表示板１２，１２，……を縦方向かつ逆さまに立てかけることもできる。この場合、把手１４の下端面Ｂの数字を確認して、ファウルに対応した数字を付した個人ファウル表示板１２が抜きとられる。
【００１６】
【発明の効果】
本発明（請求項１）によれば、チームファウル表示体を取り出した空のケースの溝に、個人ファウル表示板を、数字の順に立てかけて置くことにより、スコアラーが、容易に確認できかつ手に取りやすい状態とすることができるから、審判のファウル判定に対応して、即座にかつ正確に所定の数字のファウル表示を行うことができ、緊張感のあるゲームを維持することができる。また、チームファウル表示体は、ケース凹部に収容されるから、表示体がばらばらに分散、散逸することはなく、整然かつコンパクトに収容することができる。
【００１７】
本発明（請求項２）によれば、チームファウル表示体ケースには、少なくとも個人ファウル表ホ板に対応する数の溝が形成されているから、バスケットボール競技において１プレイヤーに認められる個人ファウル（現ルールでは５回）に対応した数字を付した複数（現ルールでは５本）の個人ファウル表示板を、順に配列し、溝に差し込んで置くことができる。
【００１８】
本発明（請求項３）によれば、スコアラーは、個人ファウル表示板の把手の上辺又は把手の下端面に表示した数字を確認して、ファウル数に対応した表示板を溝から抜き取ることができるから、正確かつ速やかに個人ファウル表示を行うことができる。
【図面の簡単な説明】
【図１】本発明実施の形態にかかるバスケットボール競技のファウル表示体ケースの斜視図であり、チームファウル表示体を収容した状態を示す。
【図２】本発明実施の形態にかかるバスケットボール競技のファウル表示体ケースの斜視図であり、個人ファウル表示板を溝に立てかけた状態を示す。
【図３】図２のIII−III線断面図（ただし個人ファウル表示板は省略）である。
【図４】チームファウル表示体を示す斜視図である。
【図５】チームファウル表示体を示す斜視図である。
【図６】図５のIV−IV線断面図である。
【符号の説明】
１  基台
２，５  表示体
３  凹部
４  凸部
６  チームファウル表示体
７  ケース
８  凹部
９  大径部
１０  小径部
１１  溝
１２  個人ファウル表示板
１３  平板
１４  把手
【図１】
0004136227.tif 000002
【図２】
0004136227.tif 000003
【図３】
0004136227.tif 000004
【図４】
0004136227.tif 000005
【図５】
0004136227.tif 000006
【図６】
0004136227.tif 000007